(57)【特許請求の範囲】
【請求項１】
瓦棒屋根の瓦棒部の上に沿う状態に取付自在な基部と、
前記瓦棒屋根の上方に敷設するシート材を固定自在なシート固定具を、前記基部に取付自在な係止部と、を備え、
前記係止部は、板状の前記シート固定具の側縁部が係止自在な複数の係止片を、前記基部に取り付けて構成している瓦棒補助具。
【請求項２】
瓦棒屋根の瓦棒部の上に沿う状態に取付自在な基部と、
前記瓦棒屋根の上方に敷設するシート材を固定自在なシート固定具を、前記基部に取付自在な係止部と、を備え、
前記係止部が前記シート固定具を係止している係止状態において、前記シート固定具と前記係止部との間に、前記シート固定具の姿勢変更を可能にする融通部が形成される瓦棒補助具。
【請求項３】
瓦棒屋根の瓦棒部の上に沿う状態に取付自在な基部と、
前記瓦棒屋根の上方に敷設するシート材を固定自在なシート固定具を、前記基部に取付自在な係止部と、を備え、
前記係止部は、前記基部に対して着脱自在に備えられ、前記基部への取付状態において、屋根平面視で前記瓦棒部よりも側方に突出する突出部を備えている瓦棒補助具。
【請求項４】
前記基部は、前記瓦棒部の上方に位置する天部と、前記瓦棒部の側方に位置する側部とを備え、
前記瓦棒部に対する前記基部の取付部は、前記側部に備えている請求項１から３の何れか一項に記載の瓦棒補助具。
【発明の詳細な説明】
【技術分野】
【０００１】
本発明は、瓦棒屋根の上に、防水シート等のシート材を敷設することで屋根改修を行う際に、瓦棒部に取り付けて使用自在な瓦棒補助具に関する。
【背景技術】
【０００２】
従来、瓦棒屋根は、表面が金属板で構成してあり、間隔をあけて配置された複数の瓦棒部と、隣接する瓦棒部の間の平面部と、を備えて構成されている。
例えば、こんな瓦棒屋根の上に断熱材や防水シート等を敷設する屋根改修工事を行うような場合は、隣接する瓦棒部の間の凹部、即ち、前記平面部の上に、板状に成形された断熱部材を設置し、高さがほぼ揃った瓦棒部と断熱部材との上を覆う状態に防水シートを設置する方法をとることが多い。
【０００３】
また、防水シートを固定するには、例えば、円板状のシート固定具を、断熱部材の上面に横間隔をあけて設置し、それらシート固定具の上面に防水シートを接着することで実施されている（例えば、特許文献１参照）。
【０００４】
シート固定具の固定は、予め、前記平面部の該当箇所に、雌ネジ部材（又は、雄ネジ部材）を溶接で固定しておき、その上方に、シート固定具を配置すると共に、固定用の雄ネジ部材（又は、雌ネジ部材）をシート固定具に挿通させて、雌ネジ部材（又は、雄ネジ部材）に螺合させることで実施される。
従って、従来においては、瓦棒部に取り付けて使用する瓦棒補助具は特になかった。
【先行技術文献】
【特許文献】
【０００５】
【特許文献１】特開２００１−１９３２２９号公報（図１〜４）
【発明の概要】
【発明が解決しようとする課題】
【０００６】
上述した従来の瓦棒屋根の屋根改修工事においては、予め、平面部の所定箇所に、雌ネジ部材（又は、雄ネジ部材）を溶接で固定しておく必要があると共に、断熱部材には、雌ネジ部材（又は、雄ネジ部材）の位置に合わせて、予めネジ部材（雌ネジ部材、雄ネジ部材）を挿通自在なネジ挿通孔を形成しておく必要がある。
更には、断熱部材を前記平面部上に配置するときには、固定されている雌ネジ部材（又は、雄ネジ部材）の位置にネジ挿通孔が合致するように断熱部材を位置合わせしながら設置しなければならず、施工が煩雑になり易い問題点があった。
【０００７】
従って、本発明の目的は、上記問題点を解消し、瓦棒屋根の屋根改修工事において、効率よく施工できるようにする瓦棒補助具を提供するところにある。
【課題を解決するための手段】
【０００８】
本発明の特徴は、瓦棒屋根の瓦棒部の上に沿う状態に取付自在な基部と、前記瓦棒屋根の上方に敷設するシート材を固定自在なシート固定具を、前記基部に取付自在な係止部と、を備え、前記係止部は、板状の前記シート固定具の側縁部が係止自在な複数の係止片を、前記基部に取り付けて構成しているところにある。
【０００９】
本発明によれば、瓦棒部の上に沿う状態に取り付けた基部に、係止部を介してシート固定具を取り付けることができるようになり、従来のように、予め、前記平面部の所定箇所に、雌ネジ部材（又は、雄ネジ部材）を溶接で固定しておく必要が無く、更には、断熱部材にネジ挿通孔を形成しておく必要も無くなる。更には、断熱部材を前記平面部上に配置するときも、従来のように、前記平面部に固定されたネジ部材に対して、ネジ挿通孔が合致するように断熱部材を位置合わせしながら設置する必要が無くなる。
【００１０】
また、シート固定具を基部に取り付けるには、係止部によってシート固定具を係止させるだけの簡単な操作によって実施でき、従来のように、シート固定具を断熱部材の上の所定位置に配置した後、ネジ部材をシート固定具に挿通させ、更に締め込むといった煩雑な操作を行う必要が無くなる。
よって、極めて、効率よく屋根改修工事を実施できるようになる。
【００１１】
また、従来の場合は、シート固定具は、ネジ部材（雌ネジ部材と雄ネジ部材）が固定されている前記平面部から上方に断熱部材の厚み分、離間した状態に取り付けられているから、防水シートからの外力（例えば、風による揚力や振動等）がシート固定具に作用すると、固定点となるネジ部材の下端固定部に大きなモーメントが作用し易く、ネジ部材が緩んだり、破損する虞があったが、本発明の特徴構成によれば、この問題を防止し易くなっている。
【００１２】
即ち、基部そのものは、瓦棒部の上に沿って配置され、更に、その基部に係止部を介してシート固定具を固定できるから、固定点となる瓦棒部と、外力の作用点となるシート固定具との距離を小さくでき、固定点に大きなモーメントが作用するのを防止できる。
その結果、シート固定具、及び、その上に接着されるシート材を、安定した状態に瓦棒屋根に固定できるようになる。
【００１３】
また、シート固定具にネジ部材を挿通して固定する場合には、上述のように、ネジ部材が緩む虞があるが、ネジ部材が緩むと、ネジ部材の頭部が、上方に突出し、シート固定具上に接着されているシート材の局部を押し上げたり、突き破り、防水性能が低下する虞がある。従って、本発明によれば、ネジ部材を用いない係止構造によってシート固定具を固定することが可能となるから、防水性能を低下させる上述の各要因を排除でき、適切な防水性能を維持することができる。
【００１４】
そして、屋根改修工事を施した屋根を対象として、再度、シート材を改修するような場合にも、シート固定具の周りでシート材を切り抜いてシート固定具ごと簡単に取り外すことができ、あとは新たなシート固定具を係止部に係止させるだけで、簡単に効率よく設置することができる。その際、新たなネジ穴等を瓦棒屋根に穿孔する必要が無いから、騒音や振動を極力抑えた静かな状況でシート材の再改修工事を実施することが可能となる。
加えて、本構成によれば、基部に取り付けた複数の係止片で、シート固定具の側縁部を係止することができるから、シート固定具の側縁部より内側の中間部は、例えば、シート材を接着する接着部として広く使用でき、シート材をより強力に保持することができる。
また、何れかの係止片を基部から取り外した状態で、所定の係止位置にシート固定具を位置させて、外しておいた係止片を基部に取り付けることで、シート固定具の側縁部を全ての係止片で係止して基部に取り付けたり、所定の係止位置にシート固定具を位置させた後に、全ての係止片を基部に取り付けることで、シート固定具の側縁部を係止して基部に取り付ける等、シート固定具の係止手順を自由に選択することができる。
また、例えば、基部の内、シート固定具設置位置を挟んだ両側の対向位置に係止片を設置しておいて、それら係止片の間に、シート固定具をスライドさせて係入させる係止手順を選択することもできる。
【００１５】
本発明においては、前記基部は、前記瓦棒部の上方に位置する天部と、前記瓦棒部の側方に位置する側部とを備え、前記瓦棒部に対する前記基部の取付部は、前記側部に備えていると好適である。
【００１６】
本構成によれば、天部と側部との両方を瓦棒部に沿わせた状態で基部を設置することができるから、より安定的に基部を瓦棒部に取り付けることが可能となる。
また、天部の両側に各別に側部を備えてあれば、天部と二つの側部とで瓦棒部を取り囲んだ状態に取り付けることができ、瓦棒部に対して前記基部をより安定した状態に取り付けることができる。
【００１７】
また、瓦棒部に対する取付部が、基部の側部に設けてあることで、例えば、横向きの釘やネジ部材を、取付部を通して瓦棒部へ打ち込むことが可能となり、この場合には、釘やネジ部材の軸芯が、シート固定具への外力（例えば、引上げ力）の作用方向と交差するから抜け難くなり、瓦棒部に対して、より安定した取付状態を維持することが可能となる。
【００１８】
【００１９】
【００２０】
【００２１】
【００２２】
本発明においては、瓦棒屋根の瓦棒部の上に沿う状態に取付自在な基部と、前記瓦棒屋根の上方に敷設するシート材を固定自在なシート固定具を、前記基部に取付自在な係止部と、を備え、前記係止部が前記シート固定具を係止している係止状態において、前記シート固定具と前記係止部との間に、前記シート固定具の姿勢変更を可能にする融通部が形成されると好適である。
【００２３】
本構成によれば、シート固定具の係止状態において、融通部によってシート固定具の姿勢を変更することができる。
姿勢の変更とは、例えば、シート固定具の軸芯周りの回転による姿勢変更、又は、軸心方向における所定高さ範囲内での移動による姿勢変更、又は、シート固定具の径方向における所定幅範囲内での移動による姿勢変更、又は、それら各姿勢変更の一部または全ての組み合わせによる姿勢変更を指す。
【００２４】
このようにシート固定の係止状態における姿勢の変更が許容されていることで、シート材からシート固定具へ外力（例えば、風による揚力や振動等）が加わった場合、姿勢変更によって緩和作用を発揮することが可能となる。
よって、基部や瓦棒部、及び、シート材相互に発生する衝撃の緩和を図ることができる。
【００２５】
本発明においては、瓦棒屋根の瓦棒部の上に沿う状態に取付自在な基部と、前記瓦棒屋根の上方に敷設するシート材を固定自在なシート固定具を、前記基部に取付自在な係止部と、を備え、前記係止部は、前記基部に対して着脱自在に備えられ、前記基部への取付状態において、屋根平面視で前記瓦棒部よりも側方に突出する突出部を備えていると好適である。
【００２６】
本構成によれば、瓦棒屋根の断熱化を図る屋根改修工事を行う場合に、突出部を使用して断熱部材の保持を図ることが可能となる。
瓦棒屋根の断熱化においては、隣接する瓦棒部間の平面部上に断熱部材を配置するが、その上からシート材で覆うまでの間は、断熱部材は自由に動く状態であるから、例えば、その間に風で吹き上げられる虞がある。
よって、断熱部材を配置した状態で基部に係止部を取り付けることで、突出部が断熱部材の上に被さり、吹き上げられるのを阻止することができる。
【図面の簡単な説明】
【００２７】
【図１】断熱改修されている瓦棒屋根の一部切欠き斜視図である。
【図２】断熱改修の手順を示す瓦棒屋根の勾配方向視の断面図である。
【図３】瓦棒補助具の分解斜視図である。
【図４】瓦棒補助具の引退状態を示す斜視図である。
【図５】瓦棒補助具の突出状態を示す斜視図である。
【図６】固定金属ディスク板が取り付けられている瓦棒補助具を示す斜視図である。
【図７】断熱改修されている瓦棒屋根の瓦棒部の縦断面図である。
【図８】別実施形態の瓦棒補助具を示す斜視図である。
【図９】別実施形態の瓦棒補助具を示す平面図である。
【図１０】別実施形態の瓦棒補助具を示す斜視図である。
【図１１】別実施形態の瓦棒補助具を示す側面図である。
【発明を実施するための形態】
【００２８】
以下に本発明の実施の形態を図面に基づいて説明する。
図１は、当該瓦棒補助具の一実施形態品（以後、単に瓦棒補助具という）Ｈを設置してある瓦棒屋根Ｒを示している。
ここで説明する形態は、瓦棒屋根Ｒの上に、外断熱化施工として断熱部材Ｐを設置すると共に、その上面に、防水シート（シート材の一例）Ｓを設置して、断熱改修が施されているものを例に挙げている。
【００２９】
瓦棒屋根Ｒは、勾配をつけた状態に設置された屋根下地１の上に、瓦材となる複数の板金材２を設置して構成されている（図２参照）。
【００３０】
屋根下地１は、図２に示すように、傾斜状態に設置された平板からなる野地板１Ａの上面に、断面矩形形状の長尺材からなる芯木１Ｂの複数を、勾配方向に長手方向が沿う状態で、且つ、芯木１Ｂの幅方向に間隔をあけて固定することで構成されている。固定は、図には示さないが、釘やネジ部材や接着材等を使用して実施することができる。
尚、野地板１Ａの下方には、垂木１Ｃや、図には示さない母屋や桁等が設けてあり、それらの部材によって屋根下地１は支持されている。
【００３１】
板金材２は、隣接する芯木１Ｂの間の部分に設置される溝状部材２Ａと、芯木１Ｂに対応する部分に設置されるキャップ部材２Ｂとで構成されている。
【００３２】
溝状部材２Ａは、溝底部２Ａａと、その両側縁部に立ち上がる溝壁部２Ａｂとを備えた『Ｕ』字断面形状の長尺材で構成してあり、溝底部２Ａａが、野地板１Ａの上面に沿うと共に、溝壁部２Ａｂが、芯木１Ｂの側面に沿う状態に設置されている。
【００３３】
キャップ部材２Ｂは、天板部２Ｂａと、その両側縁部に垂下する側壁部２Ｂｂとを備えた『上下反転Ｕ』字断面形状の長尺材で構成してあり、天板部２Ｂａが、芯木１Ｂの上面に沿うと共に、側壁部２Ｂｂが、溝状部材２Ａの溝壁部２Ａｂ内面に重なって覆う状態に設置されている。
尚、屋根下地１への板金材２の固定は、例えば、キャップ部材２Ｂの側壁部２Ｂｂと溝状部材２Ａの溝壁部２Ａｂとを貫通させて釘やネジ部材等の固定具を芯木１Ｂに定着させることで、それぞれを一体化することができる。
【００３４】
瓦棒屋根Ｒにおいて、溝状部材２Ａを設置してある部分を平面部Ｒａといい、キャップ部材２Ｂを設置してある部分を瓦棒部Ｒｂという。
【００３５】
断熱改修を実施する前の状態においては、瓦棒屋根Ｒに降り注いだ雨水は、瓦棒部Ｒｂより低い平面部Ｒａに集まりながら勾配に沿って流下する。
また、断熱改修の実施に当たっては、隣接する瓦棒部Ｒｂの対向部と、平面部Ｒａによって囲われる空間が、断熱予定エリアＶとなり（図２（ａ）参照）、この断熱予定エリアＶに、内嵌可能な形状に合わせて形成されている板状の断熱部材Ｐが嵌め込まれる（図２（ｂ）参照）。この断熱部材Ｐは、例えば、合成樹脂製の発泡体で構成することができる。
【００３６】
因みに、当該実施形態で説明する瓦棒補助具Ｈは、断熱部材Ｐを断熱予定エリアＶに設置する前に、瓦棒部Ｒｂに取り付けて使用される。
【００３７】
瓦棒補助具Ｈは、図１に示すように、各瓦棒部Ｒｂの長手方向に間隔をあけた箇所に取り付けられ、その後に設置された断熱部材Ｐが、工事中に不用意に風等によって浮き上がったり吹き飛ばされたりするのを防止する機能や、上方に設置される防水シートＳを固定するための固定金属ディスク板（シート固定具に相当）３を保持する機能を備えている。
【００３８】
瓦棒補助具Ｈは、板金製で、図３〜６に示すように、瓦棒部Ｒｂの上に沿って被さる状態に取付自在な基部４と、その基部４の上に取り付けられた二つの帯板部材（係止部の一例）５とを備えて構成してある。
【００３９】
基部４は、『上下反転Ｕ』字断面形状の短尺材で構成してあり、キャップ部材２Ｂに外嵌できる外形寸法に設定されている。即ち、設置状態で、キャップ部材２Ｂの天板部２Ｂａの上面に沿う基部天板部（天部に相当）４Ａと、その両側縁部に垂下すると共にキャップ部材２Ｂの側壁部２Ｂｂの外面に沿う基部側壁部（側部に相当）４Ｂとを備えて基部４が構成されている。
【００４０】
基部側壁部４Ｂには、基部４を瓦棒部Ｒｂに取り付けて固定するための取付部４Ｂａが設けてある。この取付部４Ｂａは、釘やネジ部材等の固定具を貫通自在な貫通孔によって構成してある。よって、瓦棒部Ｒｂに基部４を被せる状態に配置して、取付部４Ｂａに釘やネジ部材等の固定具を挿通させ、芯木１Ｂに対して定着させることで、基部４を瓦棒部Ｒｂに取り付けることができる。
【００４１】
基部天板部４Ａには、その両端部に、それぞれ帯板部材５を縦軸芯Ｘ周りに回転自在な状態に取り付ける枢支部６が各別に設けてある。
一方の枢支部６ａは、「ハトメ」で構成してあり、基部４から帯板部材５が外れない状態を維持したまま、ハトメ軸芯（縦軸芯Ｘに相当）周りに回転できるように支持されている。
他方の枢支部６ｂは、貫通状態に設置された「ネジ部材」で構成してあり、基部４に帯板部材５を着脱できながら、取付状態においてはネジ軸芯（縦軸芯Ｘに相当）周りに回転できるように支持されている。
【００４２】
帯板部材５は、長手方向での中央部（又は、ほぼ中央部）を、枢支部６によって支持されている。そして、帯板部材５は、縦軸芯Ｘ周りに回転させることで、基部天板部４Ａに対して帯板部材５が直交（又は、ほぼ直交）する状態（即ち、基部４の上部から断熱予定エリアＶの上縁に帯板部材５の端部側が突出する突出状態）と（図５参照）、基部天板部４Ａに対して帯板部材５が沿って重なる状態（即ち、帯板部材５が基部４上に位置する引退状態）と（図４参照）に姿勢変更自在に設けられている。
【００４３】
また、基部天板部４Ａと帯板部材５との摺動対向面の一部には、図３に示すように、前記突出状態と引退状態とにだけ嵌合する一つの凸部７ａと二つの凹部７ｂとが設けてある。凸部７ａと凹部７ｂとの嵌合状態においては、前記突出状態、又は、引退状態で帯板部材５の姿勢保持を図ることができる。但し、帯板部材５に回転力を作用されると、凸部７ａと凹部７ｂとの嵌合が外れ、縦軸芯Ｘ周りに回転させることが可能となる。
凸部７ａと凹部７ｂとで姿勢保持機構７が構成されている。
当該実施形態においては、基部天板部４Ａにおける枢支部６の端部側に凸部７ａが設けてあり、帯板部材５における枢支部６周りに間隔をあけた２箇所に凹部７ｂが設けてある。
【００４４】
帯板部材５を前記引退状態（図４参照）にすることで、隣接する断熱予定エリアＶに断熱部材Ｐを嵌入設置することができる。その後、帯板部材５を縦軸芯Ｘ周りに回転させて前記突出状態（図５参照）に姿勢変更することで、帯板部材５の端部側の部分が断熱部材Ｐの上に位置し、断熱部材Ｐの浮き上がりや吹き飛ばされることを防止できるようになる。この帯板部材５の端部側の部分を突出部５ｂという。
【００４５】
また、帯板部材５は、このような断熱部材Ｐの保持機能の他に、前述したように、上方に設置される防水シートＳを固定するための固定金属ディスク板（シート固定具に相当）３を係止する機能も備えている。
即ち、帯板部材５は、図６に示すように、両帯板部材５が前記突出状態の時には、両帯板部材５の間に固定金属ディスク板３を係止して位置保持できる係止片の役割も担えるように構成されている。
【００４６】
両帯板部材５の対向するそれぞれの側縁部には、固定金属ディスク板３の外形に沿った円弧状の凹部５ａが形成してあり、この部分に、固定金属ディスク板３の外周縁部（側縁部に相当）を嵌め入れることで、基部４上に固定金属ディスク板３を係止することができる。
【００４７】
当該実施形態においては、凹部５ａを、固定金属ディスク板３の外周縁部の上に重なるように納めるために、帯板部材５の枢支部６周りの下面部分に、スペーサーの役割を備えた板材５ｃを一体に取り付けてある（図７参照）。
板材５ｃの厚み寸法は、後述する固定金属ディスク板３の外周に位置する鍔状部３ｃの厚み寸法より若干大きく設定してある。
【００４８】
因みに、固定金属ディスク板３は、金属製円板をプレス加工して、図６、図７に示すように、大半が平面部３ａで構成され、その外周縁部が、外周側ほど下方側に位置する傾斜部３ｂとして構成され、その傾斜部３ｂの外周縁部が、平面部３ａと平行に延出した鍔状部３ｃとして構成されている。平面部３ａの表面は、防水シートＳを接着させる接着層３ｄ（例えば、ホットメルト接着層）が設けてある。
【００４９】
図７に見られるように、固定金属ディスク板３を、両帯板部材５によって瓦棒屋根Ｒ上に係止して位置保持を図っている状態では、固定金属ディスク板３と帯板部材５との間には、隙間（融通部に相当）Ｙが形成されている。
具体的には、固定金属ディスク板３の鍔状部３ｃと、帯板部材５の板材５ｃとの間、及び、固定金属ディスク板３の傾斜部３ｂと、帯板部材５の凹部５ａとの間に、それぞれ隙間Ｙが形成されている。
【００５０】
従って、固定金属ディスク板３は、両帯板部材５によって保持された状態で、前記隙間Ｙの幅寸法の範囲内で、径方向にスライド自在である。更には、固定金属ディスク板３は、両帯板部材５によって保持された状態で、ディスク軸芯Ｄ周りに回転自在である。
【００５１】
その結果、固定金属ディスク板３上に接着された防水シートＳが風による外力を受けた場合、固定金属ディスク板３は、スライドや回転による姿勢変更が可能となるから、それに伴って、防水シートＳの被接着部やその周辺部、及び、基部４や瓦棒部Ｒｂに応力集中が生じるのを緩和できる。合わせて、防水シートＳからの外力によって発生する振動が、瓦棒屋根Ｒに伝達されるのを緩和できる。
【００５２】
このように、瓦棒屋根Ｒの適宜箇所に瓦棒補助具Ｈを設置し、断熱予定エリアＶに断熱部材Ｐを嵌め入れ、瓦棒補助具Ｈの帯板部材５で断熱部材Ｐと固定金属ディスク板３とを保持させ、その上から防水シートＳを被せ、その上から、固定金属ディスク板３を電磁誘導加熱等の手段によって加熱すると、接着層３ｄが接着可能な状態となり、防水シートＳを安定した状態に保持することができる（図１、図７参照）。
【００５３】
本実施形態の瓦棒補助具Ｈによれば、帯板部材５を縦軸芯Ｘ周りに回転させるだけの簡単な操作で、固定金属ディスク板３を係止状態に取り付けることができ、瓦棒屋根の断熱改修工事を効率よく実施することができる。
【００５４】
また、断熱改修工事を施した屋根を対象として、再度、防水シートＳを改修するような場合にも、同様に、固定金属ディスク板３を簡単に取り外すことができ、あとは新たな固定金属ディスク板３を帯板部材５に係止させるだけで、簡単に効率よく設置することができる。その際、新たなネジ穴等を瓦棒屋根Ｒに穿孔する必要が無いから、騒音や振動を極力抑えた静かな状況で防水シートＳの再改修工事を実施することが可能となる。
【００５５】
そして、瓦棒補助具Ｈは、瓦棒部Ｒｂの側面に横向きで打ち込んだ釘又はネジ部材等の固定具で固定されているから（図２（ｂ）参照）、風による揚力（上向き）が作用しても抜け難い。従って、改修工事の途中においては、断熱部材Ｐを安定して支持でき、改修工事が完了後においては、防水シートＳを安定した状態で支持できる。
【００５６】
また、瓦棒補助具Ｈに固定金属ディスク板３を係止させた状態で、固定金属ディスク板３の姿勢変更が可能であることから、防水シートＳから固定金属ディスク板３へ外力（例えば、風による揚力や振動等）が加わった場合、上述の姿勢変更によって応力や振動の伝達を緩和することができる。
【００５７】
〔別実施形態〕
以下に他の実施の形態を説明する。
【００５８】
〈１〉  瓦棒補助具Ｈは、先の実施形態で説明した基部４と係止部５の具体的な構成に限るものではなく、適宜、変更することが可能である。
【００５９】
〈２〉  基部４は、先の実施形態の天部４Ａと側部４Ｂとを備えているものに替えて、天部４Ａと側部４Ｂとの何れか一方のみを備えた構成、又は、天部４Ａ又は側部４Ｂの一部分が除かれた構成であってもよい。
従って、瓦棒部Ｒｂに対する基部４の取付部４Ｂａは、必ずしも側部４Ｂに設けることに限らず、天部４Ａに設けてあってもよい。
【００６０】
〈３〉  係止部５は、先の実施形態で説明したように基部４に対して縦軸芯Ｘ周りに回転自在に取り付けた帯状の帯板部材に限るものではなく、回転を伴わない状態に設けてあってもよい。更には、係止部５は、突出部５ｂを備えてない形態を採用してもよい。
例えば、図８、図９に示すように、基部４の一端側に、断面『¬』形状の固定係止爪５Ａを設け、基部の他端側に、固定係止爪５Ａ側に出退自在な断面『¬』形状の出退係止爪５Ｂを設け、これら両係止爪５Ａ，５Ｂによって係止部５を構成してあってもよい。
出退係止爪５Ｂは、中央部に長穴８が形成してあり、出退係止爪５Ｂを固定する固定ネジ部材９が、長穴８を通して基部４に螺着してある。
【００６１】
この実施形態の場合は、固定係止爪５Ａにシート固定具３の一端側の鍔状部３ｃを係止させた後、出退係止爪５Ｂを、シート固定具３の他端側の鍔状部３ｃに向けて突出させて係止させ、固定ネジ部材９を締め付けて出退係止爪５Ｂを固定することで、シート固定具３を瓦棒補助具Ｈに簡単に取り付けることができる。
【００６２】
また、先の実施形態の出退係止爪５Ｂに替えて、図１０、図１１に示すように、弾性変形自在な弾性係止爪５Ｃを設けたものであってもよい。
弾性係止爪５Ｃは、基端部に係止用凹部１０が設けてあり、係止用凹部１０の上方側には、導入用傾斜部１１が形成してある。シート固定具３を、鍔状部３ｃの縁部が導入用傾斜部１１に当接する状態に配置して押し下げると、その押下力が導入用傾斜部１１に作用し、弾性係止爪５Ｃを、固定係止爪５Ａとは反対側へ弾性変形させる。シート固定具３の鍔状部３ｃが導入用傾斜部１１を乗り越えて係止用凹部１０に達すると、弾性係止爪５Ｃの弾性復元力で、元の位置に復帰し、シート固定具３の鍔状部３ｃの上に導入用傾斜部１１が被さり、シート固定具３を係止用凹部１０内に係止させることができる。
尚、固定係止爪５Ａと弾性係止爪５Ｃとの組み合わせに替えて、すべてを弾性係止爪５Ｃで構成してあってもよい。
【００６３】
〈４〉  融通部Ｙは、先の実施形態においては、シート固定具３が瓦棒補助具Ｈで保持された状態で、シート固定具３が、ディスク面に沿ってスライドしたり、ディスク軸芯Ｄ周りに回転することによる姿勢変更が可能となる構成について説明したが、この構成に限るものではない。
【００６４】
例えば、融通部Ｙとして、シート固定具３の鍔状部３ｃの上に重なる係止部５と、鍔状部３ｃとの間に隙間を設けることで、シート固定具３のディスク軸芯Ｄ方向への移動による姿勢変更が可能となる。
この場合、係止状態でのシート固定具３のガタツキを抑制する必要がある場合には、隙間に弾性変形可能な付勢手段を介在させておいてもよい。
【００６５】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【産業上の利用可能性】
【００６６】
当該瓦棒補助具は、断熱改修以外の屋根改修にも利用することができる。
【符号の説明】
【００６７】
３      固定金属ディスク板（シート固定具に相当）
４      基部
４Ａ    基部天板部（天部に相当）
４Ｂ    基部側壁部（側部に相当）
４Ｂａ  取付部
５      帯板部材（係止部の一例）
５ｂ    突出部
Ｒ      瓦棒屋根
Ｒｂ    瓦棒部
Ｓ      防水シート（シート材の一例）
Ｙ      隙間（融通部に相当）
【図１】
0006544990.tif 000002
【図２】
0006544990.tif 000003
【図３】
0006544990.tif 000004
【図４】
0006544990.tif 000005
【図５】
0006544990.tif 000006
【図６】
0006544990.tif 000007
【図７】
0006544990.tif 000008
【図８】
0006544990.tif 000009
【図９】
0006544990.tif 000010
【図１０】
0006544990.tif 000011
【図１１】
0006544990.tif 000012